【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
少なくとも、メディアのレーベル面への印刷を行うプリンタと、
前記メディアを保管するメディア保管部と、
前記メディアを搬送するメディア搬送機構と、
前記プリンタ及び前記メディア搬送機構の制御を行うオートローダ制御部と、
前記オートローダ制御部に制御コマンドを送信する主制御部と、を備えるメディア処理装置の制御方法であって、
前記オートローダ制御部は、少なくとも前記プリンタ及び前記メディア搬送機構のいずれかの状態変化に基づき、ステータスに変換し前記主制御部に送信する第１のステップと、
前記主制御部は、受信した前記ステータスに対する判定を行い、その判定結果に基づく処理を実行する第２のステップと、
を含むことを特徴とするメディア処理装置の制御方法。
【請求項２】
前記メディア処理装置は、メッセージを表示するメッセージ表示部と、入力部と、を含む操作パネルをさらに備え、
前記オートローダ制御部は、前記プリンタ及び前記メディア搬送機構の制御に加えて、前記メッセージ表示部の制御を行い、
前記第２のステップにおける前記主制御部が判定結果に基づき行う処理は、前記メッセージを含むメッセージ表示部制御コマンドを生成して、前記オートローダ制御部へ送信する処理であり、
前記オートローダ制御部は、受信した前記メッセージ表示部制御コマンドにより前記メッセージ表示部を制御して前記メッセージを表示させるステップをさらに含むことを特徴とする請求項１に記載のメディア処理装置の制御方法。
【請求項３】
前記オートローダ制御部は、前記入力部からの入力信号を受けると、前記ステータスに変換することを特徴とする請求項２に記載のメディア処理装置の制御方法。
【請求項４】
前記オートローダ制御部は、前記メディア処理装置に設置されたセンサにより検知された状態変化に基づき、前記ステータスに変換することを特徴とする請求項２に記載のメディア処理装置の制御方法。
【請求項５】
前記メディア処理装置は、複数の表示ランプを備える表示ランプ部をさらに備え、
前記オートローダ制御部は、前記プリンタ及び前記メディア搬送機構の制御に加えて、前記表示ランプ部の制御を行い、
前記第２のステップにおける前記主制御部が判定結果に基づき行う処理は、前記複数の表示ランプを同時制御する表示ランプ同時制御コマンドを生成して、前記オートローダ制御部へ送信する処理であり、
前記オートローダ制御部は、前記主制御部から送信された前記表示ランプ同時制御コマンドを受信し、当該表示ランプ同時制御コマンドにより指定された複数の前記表示ランプを同時に制御して、その点灯パターンを同時に変更させるステップをさらに含むことを特徴とする請求項１に記載のメディア処理装置の制御方法。
【請求項６】
前記メディア処理装置はさらに電源を備え、前記オートローダ制御部には前記電源を制御するための電源スイッチが接続され、
前記第１のステップにおける前記状態変化は、前記電源スイッチの状態の変化であり、
前記第２のステップにおける前記状態変化に対する判定は、電源スイッチの状態がオフであるか否かの判定であり、前記判定結果に基づく処理は、前記判定結果が、電源スイッチの状態がオフであると判定された場合に、所定の処理の実行中であるかを判定する処理であり、
少なくとも前記所定の処理の実行中ではないと判定した場合に、前記電源をオフする処理を実行するステップをさらに含むことを特徴とする請求項１に記載のメディア処理装置の制御方法。
【請求項７】
前記メディア処理装置は、前記メディアが排出される排出部をさらに備え、
前記所定の処理は、前記メディア搬送機構による前記メディアの搬送処理であり、
前記搬送処理の実行中であると判定した場合には、前記主制御部は、排出対象となっている前記メディアを前記排出部まで搬送する処理が終了した後に、前記電源をオフする処理を実行するステップをさらに含むことを特徴とする請求項６に記載のメディア処理装置の制御方法。
【請求項８】
前記メディア処理装置は、コンピュータと通信可能に接続され、
前記所定の処理は、前記コンピュータからのデータ受信であり、
前記データ受信の実行中であると判定した場合には、前記主制御部は、前記データ受信が終了した後に、前記電源をオフする処理を実行するステップをさらに含むことを特徴とする請求項６に記載のメディア処理装置の制御方法。
【請求項９】
請求項１に記載されたメディア処理装置の制御方法の各ステップを前記オートローダ制御部及び前記主制御部に実行させることを特徴とするメディア処理装置の制御プログラム。
【請求項１０】
少なくとも、メディアのレーベル面への印刷を行うプリンタと、
前記メディアを保管するメディア保管部と、
前記メディアを搬送するメディア搬送機構と、
前記プリンタ及び前記メディア搬送機構の制御を行うオートローダ制御部と、
前記オートローダ制御部に制御コマンドを送信する主制御部と、
を備え、
前記オートローダ制御部は、少なくとも前記プリンタ及び前記メディア搬送機構のいずれかの状態変化を、ステータスに変換し前記主制御部に送信する自動ステータスバック送信部を有し、
前記主制御部は、受信した前記ステータスに対する判定を行う自動ステータスバック判定部を有し、その判定結果に基づく処理を実行することを特徴とするメディア処理装置。
【請求項１１】
メッセージを表示するメッセージ表示部と、入力部と、を含む操作パネルをさらに備え、
前記オートローダ制御部は、前記プリンタ及びメディア搬送機構の制御に加えて、前記メッセージ表示部の制御を行い、
前記主制御部は、前記自動ステータスバック判定部の判定の結果に基づいたメッセージを含むメッセージ表示部制御コマンドを生成し、前記オートローダ制御部に送信する制御コマンド生成部をさらに有し、
前記オートローダ制御部は、受信した前記メッセージ表示部制御コマンドに基づき前記メッセージ表示部に前記メッセージを表示するためのメッセージ表示部制御信号に変換する制御コマンド変換部をさらに有することを特徴とする請求項１０に記載のメディア処理装置。
【請求項１２】
複数の表示ランプを備える表示ランプ部をさらに備え、
前記オートローダ制御部は、前記プリンタ及び前記メディア搬送機構の制御に加えて、前記表示ランプ部の制御を行い、
前記主制御部は、前記表示ランプ部の表示ランプのうち、指定された複数の表示ランプの点灯パターンを同時に変更する表示ランプ同時制御コマンドを生成し、前記オートローダ制御部に送信する制御コマンド生成部をさらに有し、
前記オートローダ制御部は、受信した前記表示ランプ同時制御コマンドを、指定された複数の前記表示ランプの点灯パターンを同時に変更する制御信号に変換する制御コマンド変換部をさらに有することを特徴とする請求項１０に記載のメディア処理装置。
【請求項１３】
さらに電源を備え、前記オートローダ制御部には前記電源を制御するための電源スイッチが接続され、
前記状態変化は、前記電源スイッチの状態の変化であり、
前記状態変化に対する判定は、電源スイッチがオフであるかどうかの判定であり、
前記判定結果に基づく処理は、前記判定結果が、電源スイッチがオフであると判定された場合に、所定の処理の実行中であるかを判定する処理であり、
前記主制御部は、少なくとも前記所定の処理の実行中ではないと判定した場合に、前記電源をオフする処理を実行することを特徴とする請求項１０に記載のメディア処理装置。
【請求項１４】
前記主制御部は、前記判定結果が、電源スイッチがオフであると判定され、そのとき前記所定の処理が実行中である場合、前記所定の処理が終了した後に、前記電源をオフする処理を実行することを特徴とする請求項１３に記載のメディア処理装置。
【請求項１５】
前記メディアが排出される排出部をさらに備え、
前記所定の処理は、前記メディア搬送機構による前記メディアの搬送処理であり、前記主制御部は、排出対象となっている前記メディアを前記排出部まで搬送する処理が終了した後に、前記電源をオフする処理を実行することを特徴とする請求項１４に記載のメディア処理装置。
【請求項１６】
コンピュータと通信可能に接続され、
前記所定の処理は、前記コンピュータからのデータ受信であり、前記主制御部は、前記データ受信が終了した後に、前記電源をオフする処理を実行することを特徴とする請求項１４に記載のメディア処理装置。
【請求項１７】
カバーと、前記カバーを施錠または解錠するための電子錠と、をさらに備え、
前記主制御部は、前記電子錠を制御して、前記カバーに対し施錠または解錠させることを特徴とする請求項１３に記載のメディア処理装置。